(57)【要約】【課題】従来、栓刃挿通用孔の内側とシャッターに形成した傾斜面との間に隙間が形成されることと成り、その隙間から埃、塵等が侵入する要因と成っていた。【解決手段】本発明、栓刃Ａが差し込まれる刃受Ｂを立設させた刃受金具を内設した下方ボディ１と、下方ボディに上方ボディ２を合着させたタップにおいて、上方ボディに形成した刃受カバー用穴２ａと、刃受カバー用穴に天板部３ａを略面一として上方ボディに内装される刃受カバー３と、刃受カバーに形成した栓刃挿通用孔３ｂと、一対の栓刃挿通用孔の下方を遮蔽させて枢動自在に枢着したシャッター４と、シャッターを絶えず栓刃挿通用孔の下面方向に付勢する付勢手段５とを備えたものである。【選択図】図１
2004095274.tif 000002
【特許請求の範囲】
【請求項１】
差し込みプラグに突設された板状の一対の栓刃が差し込まれる少なくとも一対の刃受を立設させた刃受金具を内設した下方ボディと、該下方ボディに上方ボディを合着させたタップにおいて、前記上方ボディの前記差し込みプラグが差し込まれる位置に形成した刃受カバー用穴と、該刃受カバー用穴に天板部の表面を略面一として上方ボディの下方に内装される刃受カバーと、該刃受カバーの天板部に形成した前記一対の栓刃を挿通させる一対の栓刃挿通用孔と、該一対の栓刃挿通用孔の下方を夫々遮蔽させて枢動自在に枢着した上面が平板状のシャッターと、該シャッターの上面を絶えず栓刃挿通用孔の下面方向に付勢する付勢手段とを備えたことを特徴とする防塵機能付きタップ。
【発明の詳細な説明】
【０００１】
【発明の属する技術分野】
本発明は防塵機能を備えたテーブルタップ等のタップに関するものであり、更に詳細には、差し込みプラグに突設された一対の栓刃が差し込まれる時には開口して差し込みを可能として、差し込みプラグを引き抜くと開口が完全に密閉状態で遮蔽される防塵機能付きタップに関するものである。
【０００２】
【従来の技術】
従来、この種の防塵機能付きタップは各種開発されて市販されているが、その何れもが差し込みプラグに突設された栓刃の先端で栓刃挿通用孔の内側に遮蔽するように配設されたシャッターを押して移動させ、シャッターを移動することで遮蔽状態が開口され栓刃を挿通させる構造と成っているために、栓刃挿通用孔を内側から遮蔽するシャッターの栓刃挿通用孔の直下に傾斜面を形成して、シャッターが容易に移動するようにしていた。
【０００３】
【発明が解決しようとする課題】
その為、栓刃挿通用孔の内側とシャッターに形成した傾斜面との間に隙間が形成されることと成り、その隙間から埃、塵等が侵入する要因と成っていた。
【０００４】
【課題を解決するための手段】
本発明は前記課題に鑑み、鋭意研鑽の結果、差し込みプラグに突設された栓刃が差し込まれる刃受を立設させた刃受金具を内設した下方ボディと、下方ボディに上方ボディを合着させたタップにおいて、上方ボディに形成した刃受カバー用穴と、刃受カバー用穴に天板部の表面を略面一として上方ボディに内装される刃受カバーと、刃受カバーの天板部に形成した栓刃挿通用孔と、一対の栓刃挿通用孔の下方を遮蔽させて枢動自在に枢着したシャッターと、シャッターを絶えず栓刃挿通用孔の下面方向に付勢する付勢手段とを備えたものである。
【０００５】
【作用】
本発明の防塵機能付きタップは、上方ボディに一対の栓刃を挿通させる一対の栓刃挿通用孔を形成した天板部を備えて内装される刃受カバーと、一対の栓刃挿通用孔の下方を遮蔽させて枢動自在なシャッターと、シャッターを絶えず栓刃挿通用孔の下面方向に付勢する付勢手段とを備えたことにより、栓刃を栓刃挿通用孔に挿通すると、栓刃の先端はシャッターに当接し、更に、栓刃を押圧することによってシャッターは弾性に抗して枢動して開口し、栓刃を刃受に挿通させるものであり、栓刃を引き抜くと付勢手段によってシャッターが付勢され元の状態に戻り遮蔽状態と成り防塵機能を有するものである。
【０００６】
従って、本発明の目的は、簡易な構造で、タップの不使用時における栓刃挿通用孔を完全に密閉状態で遮蔽する防塵機能付きタップを提供するものである。
【０００７】
【発明の実施の形態】
本発明の防塵機能付きタップの実施の形態の添付図面によって詳細に説明する。
【０００８】
図１は本発明の防塵機能付きタップの実施の形態の組み立てた状態を示す要部の断面説明図であり、図２は本発明の防塵機能付きタップの実施の形態の内部を説明をする平面説明図であり、図３は本発明の防塵機能付きタップの実施の形態の要部を断面とした分解説明図である。
【０００９】
本発明は防塵機能を備えたテーブルタップ等のタップに関するものであり、更に詳細には、差し込みプラグに突設された一対の栓刃が差し込まれる時には開口して差し込みを可能として、差し込みプラグを引き抜くと開口が完全に密閉状態で遮蔽される防塵機能付きタップに関するものであり、差し込みプラグ（図示しない）に突設された板状の一対の栓刃Ａが差し込まれる少なくとも一対の刃受Ｂを立設させた刃受金具を内設した下方ボディ１と、該下方ボディ１に上方ボディ２を合着させたタップにおいて、前記上方ボディ２の前記差し込みプラグが差し込まれる位置に形成した刃受カバー用穴２ａと、該刃受カバー用穴２ａに天板部３ａの表面を略面一として上方ボディ２の下方に内装される刃受カバー３と、該刃受カバー３の天板部３ａに形成した前記一対の栓刃Ａを挿通させる一対の栓刃挿通用孔３ｂと、該一対の栓刃挿通用孔３ｂの下方を夫々遮蔽させて枢動自在に枢着した上面４ａが平板状のシャッター４と、該シャッター４の上面を絶えず栓刃挿通用孔３ｂの下面方向に付勢する付勢手段５とを備えたものである。
【００１０】
即ち、本発明の防塵機能付きタップは主として一般家庭、オフィス等で商業電源から各電気機器に電力を提供するのに後付けで配線されるテーブルタップ等のタップ類に適応されるもので、テーブルタップ等は一対の刃受Ｂが複数組連設された刃受金具が内設されており、夫々の各電気機器から延設されたコードの先端に設けられた差し込みプラグに突設された通電性の金属で形成された板状の一対の栓刃Ａを挿通させることで電気的に接続するものである。
【００１１】
そして、下方ボディ１は底面１ａと、該底面１ａの外周縁から下方ボディ外周壁１ｂが延設され上方が開口されたもので、後述する上方ボディ２と合着させることで箱状と成り、底面１ａには電気的に電源と接続される通電性の金属で形成された周知の刃受金具が内設されており、該刃受金具には複数組の刃受Ｂを立設させており、夫々の一対の刃受Ｂに差し込みプラグに突設された板状の一対の栓刃Ａを差し込むことによって通電状態とするものである。
【００１２】
更に、下方ボディ１の底面１ａの一対の刃受Ｂの間には刃受金具を位置決めすると共に後述する刃受カバー３の下面に備えた固定用リブ３ｄに刻設した固定用孔３ｅに嵌入させる固定用突起１ｃと、後述する刃受カバー３の下端を当接させる刃受カバー用リブ１ｄ等を立設させているものである。
【００１３】
次に、上方ボディ２は上面２ｂと、該上面２ｂの外周縁から上方ボディ外周壁２ｃが延設され下方が開口されたもので、上面２ｂの差し込みプラグが差し込まれる位置には実施の形態では長円形状の刃受カバー用穴２ａを貫設しており、該刃受カバー用穴２ａは後述する刃受カバー３の天板部３ａを挿入することで表面が略面一と成るものであり、上方ボディ２は上方ボディ外周壁２ｃの下面と前記下方ボディ１の下方ボディ外周壁１ｂの上面とを合着させることで箱状のボディと成るものである。
【００１４】
次いで、刃受カバー３は図３に図示する如く、上面に前記上方ボディ２に貫設した長穴状の刃受カバー用穴２ａに下方から内装した状態で夫々の表面が略面一と成る長円状の天板部３ａを備え、該天板部３ａには一対の栓刃Ａを挿通させる矩形状の一対の栓刃挿通用孔３ｂを形成し、前記天板部３ａの周縁から延設された刃受カバー外周壁３ｃを設け下方を開口させたもので、該天板部３ａの下面の略中心には前記下方ボディ１の底面１ａに立設させた固定用突起１ｃを嵌入させる固定用孔３ｅを備えた固定用リブ３ｄを立設させると共に、刃受カバー３の刃受カバー外周壁３ｃの下端は下方ボディ１に立設させた刃受カバー用リブ１ｄに当接させるものであり、更には、前記一対の栓刃挿通用孔３ｂの長手方向の近傍の刃受カバー外周壁３ｃの内壁の両側には後述する夫々のシャッター４に突設させた枢動用軸４ｃを軸着させる枢動用孔３ｆを夫々形成しているものである。
【００１５】
更に、シャッター４は前記刃受カバー３の栓刃挿通用孔３ｂの下方を遮蔽するために略矩形状且つ平板状に形成した上面４ａを備え、該上面４ａの長手方向の両側に夫々断面コ字状とする側壁４ｂを延設させ、該夫々の側壁４ｂの外側には夫々前記刃受カバー３の内壁に形成した枢動用孔３ｆに枢動自在に軸着する枢動用軸４ｃを突設すると共に、夫々の側壁４ｂの内側には後述する付勢手段５であるコイルスプリングを捲着させる付勢手段捲着用軸４ｄを突設させ、更には、後述する付勢手段５であるコイルスプリングの一端を係着させる付勢手段端部係着孔４ｅを刻設しているものである。
【００１６】
そして、付勢手段５は実施の形態では多数回捲回させた捲回部５ａを備えたコイルスプリングであり、一端には前記シャッター４に形成した付勢手段端部係着孔４ｅに係着させるシャッター側係着部５ｂを折曲させて形成したもので、他端には前記刃受カバー３の刃受カバー外周壁３ｃの内側に当接させて付勢を与える刃受カバー側当接部５ｃを折曲させて形成しているものである。
【００１７】
つまり、シャッター４の上面４ａはコイルスプリングの付勢手段５の付勢により絶えず刃受カバー３の栓刃挿通用孔３ｂの下方を遮蔽するよにしているものである。
【００１８】
次いで、本発明の防塵機能付きタップを組み立てるには、先ず、刃受カバー３の内側にシャッター４と付勢手段５のコイルスプリングとを組み込むもので、捲回部５ａに付勢手段捲着用軸４ｄを挿通させると共に、付勢手段５の一端に形成したシャッター側係着部５ｂをシャッター４に形成した付勢手段端部係着孔４ｅに係着させ、シャッター４の側壁４ｂの外側に突設させた枢動用軸４ｃを刃受カバー３の刃受カバー外周壁３ｃの内壁の両側に形成した枢動用孔３ｆに軸着させて組み込むもので、次いで、シャッター４と付勢手段５とを組み込んだ刃受カバー３の天板部３ａを上方ボディ２の下方から刃受カバー用穴２ａに表面が略面一に成るように挿入させ、次いで、下方ボディ１に上方ボディ２を合着させ、ビス（図示しない）等によって固定することで組み立てられるものである。
【００１９】
そして、本発明の防塵機能付きタップの刃受金具の刃受Ｂの真上に形成された刃受カバー３の栓刃挿通用孔３ｂに差し込みプラグの栓刃Ａを挿通させて、栓刃Ａの先端辺を刃受金具の刃受Ｂに挿通させ挟持させるものであるが、栓刃挿通用孔３ｂの下方はシャッターの上面４ａ４で遮蔽されており、栓刃Ａを更に挿通させると、図１及び図２の左側に図示する如く、栓刃Ａの先端でシャッター４の上面４ａを付勢手段５の付勢に抗して押圧することで、シャッター４が枢動して刃受Ｂに挿通されるものである。
【００２０】
次いで、栓刃Ａを引き抜くとシャッター４は付勢手段５の付勢により図１及び図２の右側に図示する如く、遮蔽されるものであり、栓刃挿通用孔３ｂの下方はシャッター４の上面４ａでぴったりと塞がれることから埃、塵等の侵入を防止するものである。
【００２１】
尚、下方ボディ１、上方ボディ２、刃受カバー３、シャッター４、付勢手段５等の構造及び組み込み手段等は種々考慮されるものであるが、本発明の技術範囲を逸脱しない範囲での設計変更は可能なものである。
【００２２】
【発明の効果】
本発明の防塵機能付きタップは、上方ボディに内装される刃受カバーと、その刃受カバーに内装されるシャッターと付勢手段とを備え、刃受カバーに形成した栓刃挿通用孔に差し込みプラグに突設された栓刃を挿通させると、シャッターの上面と当接し、更に、差し込むことによって栓刃の押圧力により付勢手段の付勢に打ち勝って栓刃の挿通を可能とし、栓刃を引き抜くことにより付勢手段の付勢により元の状態に戻り、遮蔽中は栓刃挿通用孔の下端の近傍にも隙間を有することなく遮蔽されることから埃、塵等の侵入は皆無と成るものであり、画期的で実用性の高い発明である。
【図面の簡単な説明】
【図１】図１は本発明の防塵機能付きタップの実施の形態の組み立てた状態を示す要部の断面説明図である。
【図２】図２は本発明の防塵機能付きタップの実施の形態の内部を説明をする平面説明図である。
【図３】図３は本発明の防塵機能付きタップの実施の形態の要部を断面とした分解説明図である。
【符号の説明】
１　　　下方ボディ
１ａ　　底面
１ｂ　　下方ボディ外周壁
１ｃ　　固定用突起
１ｄ　　刃受カバー用リブ
２　　　上方ボディ
２ａ　　刃受カバー用穴
２ｂ　　上面
２ｃ　　上方ボディ外周壁
３　　　刃受カバー
３ａ　　天板部
３ｂ　　栓刃挿通用孔
３ｃ　　刃受カバー外周壁
３ｄ　　固定用突起
３ｅ　　固定用孔
３ｆ　　枢動用孔
４　　　シャッター
４ａ　　上面
４ｂ　　側壁
４ｃ　　枢動用軸
４ｄ　　付勢手段捲着用軸
４ｅ　　付勢手段端部係着孔
５　　　付勢手段
５ａ　　捲回部
５ｂ　　シャッター側係着部
５ｃ　　刃受カバー側当接部
Ａ　　　栓刃
Ｂ　　　刃受
【図１】
2004095274.tif 000003
【図２】
2004095274.tif 000004
【図３】
2004095274.tif 000005